(57)【要約】【課題】発光素子に十分な電力を供給する照明システムを提供する。【解決手段】下方にリール線が延在し、リール線の長さを変化させる昇降装置と、リール線と接続され、リール線の長さが変化することによって昇降する照明装置と、を含み、リール線は、給電装置からの電力を照明装置に供給し、照明装置は、リール線を通じて供給される電力を受信し、電力を蓄える蓄電池と、リール線を通じて供給される電力および蓄電池から供給される電力を受信し、発光する発光素子と、を含む。【選択図】図９
2020194694.tif 000002
【特許請求の範囲】
【請求項１】
下方にリール線が延在し、前記リール線の長さを変化させる昇降装置と、
前記リール線と接続され、前記リール線の長さが変化することによって昇降する照明装置と、を備え、
前記リール線は、給電装置からの電力を前記照明装置に供給し、
前記照明装置は、
前記リール線を通じて供給される電力を受信し、電力を蓄える蓄電池と、
前記リール線を通じて供給される電力および前記蓄電池から供給される電力を受信し、発光する発光素子と、
を含むことを特徴とする照明システム。
【請求項２】
前記照明装置は、
前記リール線を通じて供給される電力を受信し、前記受信した電力を前記発光素子または前記蓄電池のいずれかに振り分ける制御回路をさらに含むことを特徴とする請求項１に記載の照明システム。
【請求項３】
前記制御回路は、前記蓄電池に蓄えられた電力の量が予め定められた量に満たないと判定したことに応答して、前記受信した電力を前記蓄電池に振り分けることを特徴とする請求項２に記載の照明システム。
【請求項４】
前記制御回路は、前記発光素子を発光させることを指示する信号を受信したことに応答して、前記受信した電力を前記発光素子に振り分け、前記蓄電池に、前記蓄えられた電力を前記発光素子に供給することを指示することを特徴とする請求項２または３に記載の照明システム。
【請求項５】
前記制御回路は、前記発光素子を消灯させることを指示する信号を受信したことに応答して、前記受信した電力を前記蓄電池に振り分けることを特徴とする請求項２乃至４のいずれか一項に記載の照明システム。
【請求項６】
前記昇降装置は、内部に空洞構造を有する基板を有し、前記蓄電池および前記制御回路は、前記基板の内部に収容されることを特徴とする請求項２乃至５のいずれか一項に記載の照明システム。
【請求項７】
照明システムによって実行される方法であって、
下方に延在したリール線の長さを変化させるステップと、
前記リール線の長さが変化することによって、前記リール線と接続された照明装置を昇降させるステップと、
前記リール線を通じて、給電装置からの電力を前記照明装置に供給するステップと、
前記リール線を通じて供給される電力によって、蓄電池に電力を蓄えるステップと、
前記リール線を通じて供給される電力および前記蓄電池から供給される電力によって、発光素子を発光させるステップと、
を備えたことを特徴とする方法。
【発明の詳細な説明】
【技術分野】
【０００１】
本開示は、照明システムおよび照明方法に関し、特に、舞台演出において発光する発光素子に電力を供給する照明システムおよび照明方法に関する。
【背景技術】
【０００２】
演劇、音楽、およびダンスなど、表現者が作品を演じるのを支援する舞台演出において、複数の照明装置を使用した演出方法が知られている（特許文献１）。特許文献１に開示された技術では、複数の昇降装置の各々が、リール線によって連結された照明装置を昇降させ、照明装置からの発光を制御することによって三次元演出を行っている。複数の昇降装置は、面状バトンに吊るされる（図７）。
【０００３】
また、上述した舞台演出において、複数の昇降装置の各々が、吊り下げ線を介して表示パネルを吊り下げ、表示パネルを昇降させる演出方法が知られている（特許文献２）。特許文献２に開示された技術では、表示パネルを構成する複数の棒の各々に複数の発光素子（ＬＥＤ）が設けられている（図２）。つまり、特許文献２に開示された技術では、昇降装置によって吊り下げられる被昇降物が、複数の発光素子を有する。昇降装置と棒とを連結する吊り下げ線は、電力ケーブルおよび制御ケーブルを含む。電力ケーブルは、電源から発光素子に電力を供給し、制御ケーブルは、発光素子に制御信号を供給する。各々の発光素子は、電力ケーブルから供給される電力によって発光し、制御信号に従って調光し、光の演出を行う（図４および図５）。
【０００４】
さらに、上述した舞台演出において、内部にリールを設け、リールの回転によってリール線をリールに巻き取りおよび巻き解くことによって、リール線に取り付けられた発光素子を昇降させる照明昇降装置が知られている（特許文献３）。特許文献３に開示された技術では、長手方向を縦にした状態で設けられたリールが短手方向の面の軸を中心に回転し、ルール線がリールの上方に向かって巻き取られる。
【先行技術文献】
【特許文献】
【０００５】
【特許文献１】特開２００８−２５７９６１号公報
【特許文献２】特開２０１７−０３５３０４号公報
【特許文献３】特開２０１７−１９５１１９号公報
【発明の概要】
【発明が解決しようとする課題】
【０００６】
上述した舞台演出では、舞台演出をより華やかにするために、複数の照明装置が使用されることが多い（つまり、特許文献１乃至３に開示された技術を使用する場合、天井には複数の昇降装置が吊り下げられる）。このような背景から、多数の昇降装置が吊り下げられることによって、天井には甚大な負荷がかかることになる。また、昇降装置の重量が大きいほど、舞台演出の最中に昇降装置が落下してしまう危険性が増す。さらに、舞台演出は、鑑賞者から視認されるので、昇降装置のサイズが大きいと演出上好ましくない場合がある。このことから、昇降装置がより軽量、簡易、かつ小型な構造を有することが望まれる。
【０００７】
特許文献３に開示された照明昇降装置は、リール線をリール線巻取面に、リールの長手方向に向かって巻き取る構造を有しているので、リール線の直径が長くなるにつれて、リール線巻取面を長くする必要がある。リール線巻取面が長くなることは、照明昇降装置全体が大型になることにつながる。よって、昇降装置をより軽量かつ小型にするために、リール線の直径を短くする必要がある。また、リール線は、照明装置と共に下方に向かって延在するので、鑑賞者から視認可能になる。舞台演出の観点からも、リール線の直径の長さを短くすることが好ましい。
【０００８】
特許文献２に開示された演出方法では、発光素子が設けられた表示パネルを吊り下げるための吊り下げ線が発光素子への電力を供給する電力ケーブルの役割を果たしているので、吊り下げ線の直径が短いと、発光素子に十分な電力を供給することができない場合がある。吊り下げ線の直径が短いと、吊り下げ線の内部に設けられた電力ケーブルの直径も短くなるからである。
【０００９】
特許文献１に開示された演出方法では、昇降装置の充電部が照明装置の電源部を充電している。特許文献１に記載されたリール線は、電力を供給する電力ケーブルの役割を果たしていないので、上記充電方法では、昇降装置のコネクタ部と照明装置のコネクタ部とが接触された状態でないと充電することができない。この充電方法では、昇降装置が昇降させる発光素子の数および／または舞台演出の時間などによっては、発光素子に十分な電力を供給することができない場合がある。
【課題を解決するための手段】
【００１０】
一実施形態に係る照明システムは、下方にリール線が延在し、前記リール線の長さを変化させる昇降装置と、前記リール線と接続され、前記リール線の長さが変化することによって昇降する照明装置と、を含み、前記リール線は、給電装置からの電力を前記照明装置に供給し、前記照明装置は、前記リール線を通じて供給される電力を受信し、電力を蓄える蓄電池と、前記リール線を通じて供給される電力および前記蓄電池から供給される電力を受信し、発光する発光素子と、を含む。
【００１１】
また、一実施形態に係る方法は、照明システムによって実行される方法であって、下方に延在したリール線の長さを変化させるステップと、前記リール線の長さが変化することによって、前記リール線と接続された照明装置を昇降させるステップと、前記リール線を通じて、給電装置からの電力を前記照明装置に供給するステップと、前記リール線を通じて供給される電力によって、蓄電池に電力を蓄えるステップと、前記リール線を通じて供給される電力および前記蓄電池から供給される電力によって、発光素子を発光させるステップと、を含む。
【発明の効果】
【００１２】
本発明に係る照明システムおよび照明方法によれば、発光素子に電力を供給するリール線の直径の長さに関わらず、発光素子に十分な電力を供給することができる。
【図面の簡単な説明】
【００１３】
【図１】一実施形態に従った、照明システムの全体を示す図である。
【図２】一実施形態に従った、リール線の断面を示す図である。
【図３】一実施形態に従った、昇降装置の筐体を開いた状態を示す図である。
【図４】一実施形態に従った、照明装置の側面を示す図である。
【図５】一実施形態に従った、照明装置の断面を示す図である。
【図６】一実施形態に従った、照明装置の論理構造を示す図である。
【図７】一実施形態に従った、演出モードの間の遷移を示す図である
【図８】一実施形態に従った、照明システムの実行する処理に従って変化する状態を示す図である。
【図９】一実施形態に従った、照明システムが実行する処理を示す図である。
【図１０】一実施形態に従った、照明システムが実行する処理を示す図である。
【発明を実施するための形態】
【００１４】
添付図面を参照して、一実施形態に係る照明システム１０を説明する。照明システム１０は、主に、演劇、音楽、およびダンスなど、表現者が作品を演じるのを支援する舞台演出において使用される。そのような舞台演出では、照明システム１０は、発光素子を発光させ、その発光を制御することによって光の演出を行う。
【００１５】
図１は、照明システム１０の全体を示す図である。照明システム１０は、昇降装置１ａおよび１ｂ（以下、昇降装置１）、照明装置２、制御装置３、ならびに給電装置４を含む。なお、図１に示す昇降装置１および照明装置２の数は、例示にすぎない。図１に示した２つの昇降装置１および１つの照明装置２の複数の組み合わせが存在してもよい。また、昇降装置１と照明装置２との関係は、１対１、Ｎ対１、または１対Ｎであってもよい（Ｎは、２以上の任意の数）。
【００１６】
昇降装置１は、内部に設けられたリール線１１を有する。リール線１１は、昇降装置１から下方に向かって延在する。リール線１１の先端には、照明装置２が取り付けられる。照明装置２は、昇降装置１の下方に吊り下げられる。天井Ｃに吊り下げられた昇降装置１は、鑑賞者からは視認可能でない、または鑑賞者からは見えにくい高さに設置されることが演出上好ましい。
【００１７】
昇降装置１は、リール線１１の長さを変化させることによって、リール線１１の先端に取り付けられた照明装置２を昇降させる。昇降装置１は、長手方向を縦にした状態で、天井Ｃに取り付けられる。本実施形態では、昇降装置１が天井に取り付けられる例を説明するが、昇降装置１が天井の代わりにサスペンションバトンに取り付けられてもよい。サスペンションバトンは、舞台演出などで使用される、格子状の構造を有する装置であるが、その詳細な説明は省略する。
【００１８】
照明装置２は、棒状の形状を有し、内部に１つまたは複数の発光素子を有する装置である。照明装置２は、長手方向の両端にコネクタを有し、コネクタを介して２つのリール線１１の各々と接続される。図１に示す状態では、照明装置２は、長手方向の両端が２つのリール線１１の各々と接続されている。つまり、図１に示す照明装置２は、２つの昇降装置１の両方がリール線１１の長さを変化させることによって昇降する。しかしながら、照明装置２の一端のみがリール線１１と接続されてもよい。この場合、照明装置２は、長手方向を縦にした状態で吊り下げられる。
【００１９】
制御装置３は、昇降装置１および照明装置２の動作を制御する。昇降装置１と制御装置３とは、有線または無線で接続される。制御装置３は、ＣＰＵ（Central Processing Unit）またはＦＰＧＡ（Field Programmable Gate Array）などによって実装される。制御装置３は、メモリ（図示しない）に記憶された制御プログラムを実行する。昇降装置１および照明装置２の動作は、記憶装置（図示しない）に記憶された演出データに従って、および／またはオペレータの操作に応答して制御される（制御装置３が昇降装置１および照明装置２に制御信号を伝送する）。演出データは、予め定められた舞台演出に従って昇降装置１および照明装置２の動作を定義したデータである。
【００２０】
制御装置３からの制御信号は、昇降装置１に直接伝送される。また、制御装置３からの制御信号は、昇降装置１およびリール線１１を通じて、照明装置２に伝送される。なお、本実施形態では、照明装置２の動作は、制御装置３からリール線１１を通じて伝送される制御信号に従って制御されるが、そのような形態に限定されない。例えば、照明装置２と制御装置３とが有線または無線で接続され、制御信号が照明装置２に直接伝送されてもよい。
【００２１】
制御装置３は、図示しない入力装置および出力装置を含む。入力装置および出力装置は、オペレータによって使用される。オペレータは、舞台演出に合わせて照明装置２を所定の高さまで移動させ（昇降装置１の動作を介して）、照明装置２を発光させるなどの操作を行う。入力装置は、そのような操作を行うための指示を入力するための入力装置である。出力装置は、昇降装置１および照明装置２の動作の結果などを表示するために出力装置である。
【００２２】
給電装置４は、昇降装置１および照明装置２の動力源となる電力を供給する電源である。給電装置４は、天井Ｃなどに設けられた電源コンセントに接続される。昇降装置１は、電源ケーブルを介して給電装置４に接続される。給電装置４からの電力は、昇降装置１に直接供給される。また、給電装置４からの電力は、昇降装置１およびリール線１１を通じて照明装置２に供給される。
【００２３】
舞台演出を行っている間は、照明装置２は、鑑賞者から視認可能な位置に下降し、発光する。よって、照明装置２にケーブルなどの部品を結合することは、それらの部品が鑑賞者から視認可能になり、演出上好ましくない。本実施形態では、鑑賞者から視認可能でない、または鑑賞者からは見えにくい位置に昇降装置１を設け、その昇降装置１からリール線１１を通じて照明装置２に電力が供給されるので、上述したケーブルなどの部品を照明装置２に結合する必要がなくなる。
【００２４】
図２に示すように、リール線１１は、照明装置２に制御信号を伝送する制御線１１ａと、照明装置２に電力を供給する電力線１１ｂとを内挿している。図２は、リール線１１の断面を示す図である。なお、図１に示すように、照明装置２の両端を２つのリール線１１と接続する場合、２つの制御線１１ａのうちの１つのみから制御信号が伝送されてもよく、２つの電力線１１ｂのうちのいずれかまたは両方から電力が供給されてもよい。
【００２５】
次に、図３を参照して、昇降装置１の詳細な構造を説明する。図３は、昇降装置１の筐体が開いた状態を示す図である。昇降装置１は、上方部１２ａおよび下方部１２ｂを含む筐体１２を有する。図１に示した昇降装置１は、下方部１２ｂが閉じられ、昇降装置１の内部に設けられた構成要素が筐体１２によって覆われた状態である。メンテナンスなどのため、下方部１２ｂは開放可能であり、図３に示すように、下方部１２ｂを開くと、昇降装置１の内部に設けられた構成要素が視認可能になる。
【００２６】
図３に示すように、昇降装置１は、筐体１２の内部に設けられたリール１３を有する。リール１３は、円筒形状を有し、その長手方向が筐体１２の長手方向と平行するように設けられる。リール１３は、図示しない電動モータの回転軸と連結し、電動モータの駆動によって短手方向の面の軸を中心に回転する。リール１３の回転によって、リール線１１が１層巻きでリール１３に巻き取られ、また、その逆の回転によってリール線１１がリール１３から巻き解かれる。
【００２７】
上述した、リール１３へのリール線１１の巻き取りおよび巻き解きによってリール線１１の長さが変化し、リール線１１の先端に取り付けられた照明装置２が昇降する。特に、図１に示した例のように、２つの昇降装置１が１つの照明装置２を昇降させる例では、２つの昇降装置１の各々が、異なる速度および／または量でリール線１１の各々の長さを変化させることによって、照明装置２の角度を変化させ、様々な演出を行うことができる。
【００２８】
電動モータの駆動は、昇降装置１の内部に設けられた制御回路（図示しない）によって、制御装置３からの制御信号に従って制御される。この制御信号は、昇降装置１に対して、予め定められた速度、量、方向、および／またはタイミングでリール１３を回転させるなどを指示する指示信号を含む。制御回路は、ロータリエンコーダ（図示しない）などの検出回路（図示しない）を含む。制御回路は、電動モータの回転軸の回転量を算出することによって、照明装置２の上下方向の移動量を判定する。このような昇降装置１の制御によって、照明システム１０は、舞台演出に合わせて照明装置２を上下方向における所定の位置に移動させ、所定の角度で傾けることができる。
【００２９】
実際の舞台演出では、予め定められた演出データに従って、照明システム１０を使用した光の演出を行わないとき、照明装置２が予め定められた高さまで上昇し、照明装置２が完全に消灯する。この状態を、演出オフモードと称する。一方、予め定められた演出データに従って、照明システム１０を使用した光の演出を行うとき、照明装置２が予め定められた高さまで下降し、照明装置２が発光する（点滅を含む）。この状態を、演出オンモードと称する。
【００３０】
次に、図４を参照して、照明装置２の詳細な構造を説明する。図４は、照明装置２の長手方向の側面を示す図である。照明装置２は、本体部２１、コネクタ２２ａおよび２２ｂ（以下、コネクタ２２）、基板２３、ならびに発光素子２４ａ1、２４ａ2、および２４ａn（以下、発光素子２４ａ）を含む。
【００３１】
本体部２１は、棒状の形状を有し、矢印Ｄに向かって延在する筐体である。本体部２１はまた、内部に基板２３および発光素子２４ａなどを収容可能な空洞構造を有する。２つのコネクタ２２は、本体部２１の長手方向の両端に取り付けられる（コネクタ２２ａが一端に、コネクタ２２ｂが他端に）。コネクタ２２は、照明装置２とリール線１１とを接続する機械的構造を有する。コネクタ２２はまた、制御線１１ａを通じて伝送される制御信号および電力線１１ｂを通じて供給される電力を基板２３に伝達する。なお、上述したように、照明装置２の一端のみがリール線１１と接続される場合、１つのコネクタ２２のみが本体部２１の一端に取り付けられてもよい。
【００３２】
基板２３は、矢印Ｄに向かって延在する実装基板である。基板２３の長手方向の側面上には、プリント基板が設けられる。プリント基板上には、配線を通じて複数の発光素子２４ａが矢印Ｄの方向に一定の間隔で設けられる。発光素子２４の各々には、制御線１１ａを通じて伝送される制御信号が、コネクタ２２を介して伝送される。また、発光素子２４の各々には、電力線１１ｂを通じて供給される電力が、コネクタ２２を介して供給される。発光素子２４ａは、ＬＥＤなどの発光体およびＩＣチップによって実装されてもよい。
【００３３】
次に、図５を参照して、照明装置２の詳細な内部構造を説明する。図５は、照明装置２の短手方向（つまり、図４に示した矢印Ｄと直交する方向）の断面（図４のＶ−Ｖ線に沿った断面）を示す図である。図５に示すように、本体部２１の短手方向の断面は、三角形の形状を有する。この形状は、長方形状を有する３枚のアクリル板などを、その長手方向の側面が相互に対向するように配置することによって形成される。なお、本体部２１の短手方向の断面は、三角形に限定されず、丸型、四角形、および五角形などのいずれかの形状であってもよい。例えば、本体部２１の短手方向の断面が四角形の形状を有する場合、本体部２１は、長方形状を有する４枚のアクリル板などから形成される。
【００３４】
基板２３の短手方向の断面も同様に、三角形の形状を有する。この形状は、３つの基板２３ａ、２３ｂ、および２３ｃを、その長手方向の側面が相互に対向するように配置することによって形成される。基板２３ａ、２３ｂ、および２３ｃによって形成された形状は、以下で説明する制御回路２５および蓄電池２６を内部に収容可能な空洞構造を有する。なお、基板２３の短手方向の断面は、三角形に限定されず、丸型、四角形、および五角形などのいずれかの形状であってもよい。例えば、基板２３の短手方向の断面が四角形の形状を有する場合、基板２３は、４枚の基板から形成される。
【００３５】
図４で説明したように、基板２３ａは、基板２３ａの長手方向の側面上に設けられた複数の発光素子２４ａを有する。同様に、基板２３ｂおよび２３ｃも、長手方向の側面上に設けられた複数の発光素子２４ｂ（２４ｂ1、２４ｂ2、および２４ｂn（以下、発光素子２４ｂ））、ならびに２３ｃ（２４ｃ1、２４ｃ2、および２４ｃn（以下、発光素子２４ｃ））をそれぞれ有する。つまり、基板２３は、長手方向の３つの側面上のそれぞれに設けられた複数の発光素子２４ａ、２４ｂ、および２４ｃを有する。このことは、照明装置２が、基板２３の３つの側面から３方向に光を放射することを意味する。以下では、基板２３ａ、２３ｂ、および２３ｃの発光素子２４が設けられた長手方向の側面を表面と称する。
【００３６】
なお、基板２３の短手方向の断面が四角形の形状を有する場合、４枚の基板２３のそれぞれに発光素子２４が設けられる。この場合、照明装置２は、基板２３の４つの側面から４方向に光を放射する。
【００３７】
基板２３ａ、２３ｂ、および２３ｃのいずれかまたは全ての表面とは反対の面（以下、裏面）上にもプリント基板が設けられる。基板２３ａの裏面のプリント基板上には、配線を通じて制御回路２５が設けられる。基板２３ｂの裏面のプリント基板上には、配線を通じて蓄電池２６が設けられる。つまり、制御回路２５および蓄電池２６は、基板２３ａ、２３ｂ、および２３ｃによって形成された空洞構造の内部に設けられる。基板２３が本体部２１に収容された状態では、制御回路２５および蓄電池２６は、基板２３ａ、２３ｂ、および２３ｃによって覆われて、視認することができない。
【００３８】
上述したように、照明システム１０は光の演出を行うので、制御回路２５および蓄電池２６が鑑賞者から視認可能であることは演出上好ましくない。本実施形態では、基板２３は、内部に形成された空洞構造を有し、内部に収容された制御回路２５および蓄電池２６を覆うので、制御回路２５および蓄電池２６を鑑賞者から視認することができないようにすることができる。なお、本実施形態では、制御回路２５が基板２３ａの裏面上に設けられ、蓄電池２６が基板２３ｂの裏面上に設けられるが、制御回路２５および蓄電池２６は各々、基板２３ａ、２３ｂ、および２３ｃのいずれかの裏面上に設けられてもよい。
【００３９】
制御回路２５は、制御線１１ａを通じて伝送される制御信号に従って、発光素子２４の各々の発光（点滅を含む）、光の強度、および光の色などを制御する。発光素子２４の各々は、電力線１１ｂから供給される電力および蓄電池２６から供給される電力によって発光する。また、制御回路２５は、制御線１１ａからの制御信号に従って、電力線１１ｂから供給される電力を発光素子２４または蓄電池２６に振り分ける。
【００４０】
蓄電池２６は、電力線１１ｂから供給される電力を蓄える二次電池である。蓄電池２６は、電池残量を計測し、制御回路２５からの指示信号に従って電力を発光素子２４に供給するＩＣチップ（図示しない）を含む。
【００４１】
次に、図６を参照して、照明装置２の上記説明した構成要素の論理構造を説明する。図６に示すように、制御回路２５は、制御線および電力線を介してコネクタ２２と結合される。制御回路２５は、制御線を通じてコネクタ２２から制御信号を受信し（制御装置３から制御線１１ａを通じて伝送された）、電力線を通じてコネクタ２２から電力を受信する（給電装置４から電力線１１ｂを通じて供給された）。
【００４２】
制御線１１ａを通じて制御回路２５に伝送される制御信号は、発光素子２４に対して、予め定められた光量および／または時間に発光することなどを指示する信号を含む。つまり、制御回路２５は、制御装置３からの制御信号に従って、発光素子２４に対して発光（光の量、色、および／またはタイミングなどを含む）を指示する。制御回路２５は、制御信号が発光素子２４に対して指示する信号であるかを判定し、発光素子２４に指示信号を伝送する。
【００４３】
制御回路２５はまた、上述した制御信号を受信したことに応答して、蓄電池２６に対して、充電すること、および発光素子２４に電力を供給することを指示する。このときに、制御回路２５は、蓄電池２６が発光素子２４に電力を供給する時間およびタイミングなどを、制御装置３からの制御信号が示す発光素子２４を発光させる時間およびタイミングなどと同期するように指示する。
【００４４】
発光素子２４は、制御線および電力線を介して制御回路２５と結合される。発光素子２４は、制御線を通じて制御回路２５から指示信号を受信し、電力線を通じて制御回路２５から電力を受信する。発光素子２４は、制御回路２５からの指示信号に従って発光する。発光素子２４はまた、電力線を介して蓄電池２６と結合される。発光素子２４は、蓄電池２６から供給された電力を受信する。つまり、発光素子２４は、制御回路２５からの電力（給電装置４からの電力）および蓄電池２６からの電力（蓄電池２６が蓄えた電力）の両方を受信する。
【００４５】
蓄電池２６は、制御線および電力線を介して制御回路２５と結合される。蓄電池２６は、制御線を通じて制御回路２５から指示信号を受信し、電力線を通じて制御回路２５から電力（給電装置４からの電力）を受信する。蓄電池２６は、制御回路２５からの電力を蓄え、制御回路２５からの指示信号に従って、発光素子２４に電力を供給する。
【００４６】
蓄電池２６はまた、自身の電池残量を計測し、蓄えられた電力が予め定められた量に到達すると、制御回路２５に充電が完了したことを示す充電完了信号を伝送する。その後、蓄電池２６が発光素子２４に電力を供給することによって、蓄えられた電力が予め定められた量を下回ると、制御回路２５に充電が必要であることを示す充電再開信号を伝送する。制御回路２５は、充電完了信号を受信すると、蓄電池２６が充電オフモードにあると判定する。一方で、制御回路２５は、充電再開信号を受信すると、蓄電池２６が充電オンモードにあると判定する。なお、制御回路２５は、充電完了信号を受信しない限り、蓄電池２６が充電オンモードにあると判定する。充電オンモードおよび充電オフモードを、充電モードと総称する。
【００４７】
なお、制御装置３から制御回路２５に伝送される制御信号は、蓄電池２６に対して、充電すること、ならびに発光素子２４に電力を供給することを指示する（電力を供給する時間および／またはタイミングを含む）信号を含んでもよい。つまり、制御装置３が、蓄電池２６を充電すること、および蓄電池２６が発光素子２４に電力を供給することを指示してもよい。この場合、制御回路２５は、制御信号が蓄電池２６に対して指示する信号であるかを判定し、蓄電池２６に指示信号を伝送する。この場合、上述した充電完了信号および充電再開信号は、制御回路２５から制御線１１ａを通じて制御装置３に伝送され、制御装置３が、蓄電池２６がいずれの充電モードにあるかを判定する。
【００４８】
次に、図７を参照して、舞台演出における演出オンモードと演出オフモードとの関係を説明する（演出オンモードおよび演出オフモードを、演出モードと総称する）。図７は、演出モードの間の遷移を時系列に示す図である。図７の例では、照明システム１０が音楽における舞台演出に使用され、表現者が１０曲の楽曲を歌唱する例を説明する。
【００４９】
表現者が１０曲の楽曲の各々において歌唱する際、照明システム１０は、各々の歌唱の間、演出モードの間で遷移する。図７に示す例では、１曲目の楽曲開始から１分後に照明システム１０が演出オフモードから演出オンモードに遷移し、その後、１分半後に演出オンモードから演出オフモードに再度遷移する。つまり、表現者が１曲目の楽曲の歌唱を開始してから１分間は、照明装置２が予め定められた高さに位置し、照明装置２が完全に消灯している。その後、１分が経過すると、照明装置２が予め定められた高さまで下降し、照明装置２が発光する（点滅を含む）。さらに、その後、１分半が経過すると、照明装置２が予め定められた高さまで上昇し、照明装置２が完全に消灯する。
【００５０】
演出モードの間の遷移は、予め定められたタイミング、または表現者もしくは舞台演出の状態（例えば、表現者が歌唱する楽曲の第１番目のフレーズが終了した後など）に従って行われる。モード間の遷移は、上述したオペレータによる制御装置３への指示入力によって（つまり、手動操作によって）、または制御装置３に記憶された予め定義された演出データに従って（つまり、自動判定によって）判定されてもよい。
【００５１】
次に、図８を参照して、演出モード、充電モード、蓄電池２６の充電状態、および発光素子２４への電力供給状態の関係を説明する。図８は、照明システム１０が実行する処理に従って変化する状態を示す図である。上述したように、蓄電池２６は、充電オンモードと充電オフモードとの間で遷移する。
【００５２】
上述したように、蓄電池２６が充電オンモードにある場合、蓄電池２６の充電が必要になる。図８に示すように、蓄電池２６が充電オンモードにあり、照明システム１０が演出オンモードにあるとき、発光素子２４に対して電力供給が必要になる。よって、このときは、蓄電池２６に対して充電は行われない。一方で、発光素子２４への電力供給が行われる。発光素子２４への電力供給は、制御回路２５からの電力（給電装置４からの電力）および蓄電池２６からの電力（蓄電池２６が蓄えた電力）の両方によって行われる。
【００５３】
蓄電池２６が充電オンモードにあり、照明システム１０が演出オフモードにあるとき、発光素子２４に対して電力供給が不要になる。よって、このときは、発光素子２４への電力供給は行われない。一方で、制御回路２５からの電力が蓄電池２６に振り分けられ、蓄電池２６の充電が行われる。
【００５４】
蓄電池２６が充電オフモードにあり、照明システム１０が演出オンモードにあるとき、発光素子２４に対して電力供給が必要になる。よって、このときは、蓄電池２６に対して充電は行われない。一方で、発光素子２４への電力供給が行われる。発光素子２４への電力供給は、制御回路２５からの電力および蓄電池２６からの電力の両方によって行われる。
【００５５】
蓄電池２６が充電オフモードにあり、照明システム１０が演出オフモードにあるとき、発光素子２４に対して電力供給が不要になる。よって、このときは、発光素子２４への電力供給は行われず、蓄電池２６の充電も行われない。
【００５６】
上記説明したように、舞台演出において照明システム１０が使用されないとき（つまり、発光素子２４への電力供給が不要であるとき）、蓄電池２６が電力を蓄える。一方で、照明システム１０が使用されるとき（つまり、発光素子２４への電力供給が必要であるとき）、給電装置４からの電力のみでなく、蓄電池２６が蓄えた電力も発光素子２４に供給される。つまり、照明システム１０が使用されないときに蓄電池２６に電力が蓄えられ、照明システム１０が使用されるときにその蓄えた電力を発光素子２４に供給する。
【００５７】
上述したように、従来技術による舞台演出方法では、昇降装置に吊り下げられる照明装置は、昇降装置と照明装置とを接続するリール線を介して電力が供給されるので、リール線の直径によっては照明装置に十分な電力が供給されない。本実施形態に係る照明システム１０は、給電装置４からの電力および蓄電池２６が蓄えた電力の両方が発光素子２４に供給されるので、リール線１１の直径に関わらず、発光素子２４に十分な電力を供給することができる。このことは、発光素子２４が更に多くの発光素子２４を設けることができることにつながり、ひいては、より華やかな演出を提供することにつながる。
【００５８】
次に、図９を参照して、照明システム１０が実行する処理を説明する。図９の説明では、昇降装置１の詳細な動作は省略し、照明装置２および制御装置３が実行する処理の例を示す。図９の処理は、図７に示した表現者が１曲目の楽曲を歌唱する例を前提とする。つまり、図９に示す処理では、照明システム１０は、演出オフモードから演出オンモードに遷移する。なお、蓄電池２６は、処理の開始時には、充電オフモードにあるものとする。また、照明装置２は、電力線１１ｂを通じて給電装置４から電力を受信しているものとする。
【００５９】
まず、制御装置３は、演出データに従って、またはオペレータからの指示入力に応答して、昇降装置１および照明装置２に制御信号を伝送する（ステップＳ９０１）。この制御信号は、昇降装置１に対し、リール１３を回転させることなどを指示する指示信号と共に、照明装置２に対し、発光素子２４を発光させることなどを指示する指示信号を含む（つまり、演出オフモードから演出オンモードに遷移する）。昇降装置１は、この制御信号に応答して、リール１３を回転させ、照明装置２を所定の高さに下降させる。
【００６０】
次に、制御回路２５は、ステップＳ９０１で伝送された制御信号を、制御線１１ａを通じてコネクタ２２から受信する（ステップＳ９０２）。次に、制御回路２５は、ステップＳ９０２で受信した制御信号に応答して、電力線１１ｂを通じてコネクタ２２から受信している電力を発光素子２４に振り分ける（ステップＳ９０３）。このときに、制御回路２５は、蓄電池２６に対し、発光素子２４に電力を供給することを指示する（ステップＳ９０４）と共に、発光素子２４に対し、発光を指示する（ステップＳ９０５）。
【００６１】
次に、蓄電池２６は、制御回路２５からの指示に応答して、発光素子２４に電力を供給する（ステップＳ９０６）。発光素子２４は、ステップＳ９０３における制御回路２５からの電力およびステップＳ９０６における蓄電池２６からの電力を受信し、所定の光量などで発光する（ステップＳ９０７）。その後、発光素子２４は、一定期間の間、発光（点滅）し続ける。この発光の間、蓄電池２６は、自身の電池残量を計測し、蓄えられた電力が予め定められた量を下回ると、制御回路２５に充電再開信号を伝送する（ステップＳ９０８）。制御回路２５は、充電再開信号に応答して、蓄電池２６が充電オンモードにあると判定する（ステップＳ９０９）。
【００６２】
次に、図１０を参照して、照明システム１０が実行する処理を説明する。図１０に説明する処理は、図９の処理に続いて、照明システム１０は、演出オンモードから演出オフモードに再度遷移する。蓄電池２６は、充電オンモードにあるものとする。
【００６３】
まず、制御装置３は、演出データに従って、またはオペレータからの指示入力に応答して、昇降装置１および照明装置２に制御信号を伝送する（ステップＳ１００１）。この制御信号は、昇降装置１に対し、リール１３を回転（図９のステップＳ９０１における回転とは逆の回転）させることなどを指示する指示信号と共に、照明装置２に対し、発光素子２４を消灯させることなどを指示する指示信号を含む（つまり、演出オンモードから演出オフモードに遷移する）。昇降装置１は、この制御信号に応答して、リール１３を回転させ、照明装置２を所定の高さに上昇させる。
【００６４】
次に、制御回路２５は、ステップＳ１００１で伝送された制御信号を、制御線１１ａを通じてコネクタ２２から受信する（ステップＳ１００２）。次に、制御回路２５は、ステップＳ１００２で受信した制御信号に応答して、蓄電池２６が充電オンモードにあると判定したことに従って、電力線１１ｂを通じてコネクタ２２から受信している電力を蓄電池２６に振り分ける（ステップＳ１００３）。このときに、制御回路２５は、蓄電池２６に対し、充電することを指示する（ステップＳ１００４）と共に、発光素子２４に対し、消灯を指示する（ステップＳ１００５）。
【００６５】
次に、蓄電池２６は、制御回路２５からの指示に応答して、制御回路２５からの電力を蓄える（ステップＳ１００６）。発光素子２４は、制御回路２５からの指示に応答して、消灯する。（ステップＳ１００７）。ステップＳ１００６における充電の間、蓄電池２６は、自身の電池残量を計測し、蓄えられた電力が予め定められた量を上回ると、制御回路２５に充電完了信号を伝送する（ステップＳ１００８）。制御回路２５は、充電完了信号に応答して、蓄電池２６が充電オフモードにあると判定し、コネクタ２２から受信している電力を蓄電池２６に振り分けることを停止する（ステップＳ１００９）。
【００６６】
以上のように、本実施形態に係る照明システム１０が実行する処理の例を説明した。上述した実施形態では、照明システム１０が演出オフモードに遷移したことをトリガとして、蓄電池２６の充電を開始するが、そのような形式に限定されない。例えば、照明システム１０が演出モードにあっても、照明装置が所定の期間内に消灯することがある。このような期間内に、給電装置４からの電力を蓄電池２６に振り分けて蓄電池２６を充電してもよい。このように構成することによって、照明システム１０の電力効率を高めることができる。
【００６７】
また、演出によっては、演出の間に様々な発光のパターンがあり、照明装置２に設けられた複数の発光素子２４のうち一部しか発光しないこと期間が存在することがある。このような期間内に、給電装置４から発光素子２４に供給される電力が、それらの一部の発光素子２４が発光するのに十分な電力を供給することができる場合、給電装置４からの電力を発光素子２４に振り分けて、蓄電池２６から発光素子２４への電力供給を停止してもよい。このように構成することによって、蓄電池２６の電力消費を抑え、やはり、照明システム１０の電力効率を高めることができる。
【００６８】
さらに、照明システム１０が使用されないときは、照明装置２が所定の高さに上昇するが、照明装置２が所定の高さに到達したことに応答して、給電装置４からの電力を蓄電池２６に振り分けて蓄電池２６を充電してもよい。一方で、照明システム１０が使用されるときは、照明装置２が所定の高さに下降するが、照明装置２が所定の高さに到達したことに応答して、給電装置４からの電力を発光素子２４に振り分け、蓄電池２６から電力を発光素子２４に供給するようにしてもよい。
【００６９】
上述した照明装置２が上昇または下降して到達した高さの判定は、昇降装置１の検出部がロータリエンコーダの回転量に基づいて行われてもよい。また、昇降装置１が上昇したときに到達する位置に照明装置２が接触する機械的接点または電気的接点を設け、照明装置２がその接点に接触し、またはその接点から離れたことを検出してもよい。この場合、昇降装置１が、照明装置２が接点に接触したことを検出したことに応答して、制御装置３が上述した蓄電池２６の充電を指示する。一方で、昇降装置１が、照明装置２が接点から離れたことを検出したことに応答して、制御装置３が上述した蓄電池２６から発光素子２４への電力の供給を指示してもよい。
【００７０】
なお、本実施形態では、照明装置２は、上述したような棒状の形状を有するが、そのような形状に限定されず、任意の形状を有してもよい。照明装置２がいずれかの形状を有する場合であっても、発光素子２４が設けられる基板２３によって形成される形状は、内部に空洞構造を有し、制御回路２５および蓄電池２６を内部に収容することが好ましい。
【符号の説明】
【００７１】
１    昇降装置
１ａ  昇降装置
１ｂ  昇降装置
２    照明装置
３    制御装置
４    給電装置
１０    照明システム
１１    リール線
１１ａ  制御線
１１ｂ  電力線
１２    筐体
１２ａ  上方部
１２ｂ  下方部
１３    リール
２２    コネクタ
２２ａ  コネクタ
２２ｂ  コネクタ
２３    基板
２３ａ  基板
２３ｂ  基板
２３ｃ  基板
２４    発光素子
２４ａ  発光素子
２４ｂ  発光素子
２４ｃ  発光素子
２５    制御回路
２６    蓄電池
【図１】
2020194694.tif 000003
【図２】
2020194694.tif 000004
【図３】
2020194694.tif 000005
【図４】
2020194694.tif 000006
【図５】
2020194694.tif 000007
【図６】
2020194694.tif 000008
【図７】
2020194694.tif 000009
【図８】
2020194694.tif 000010
【図９】
2020194694.tif 000011
【図１０】
2020194694.tif 000012
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
下方にリール線が延在し、前記リール線の長さを変化させる昇降装置と、
前記リール線と接続され、前記リール線の長さが変化することによって昇降する照明装置と、を備え、
前記リール線は、給電装置からの電力を前記照明装置に供給し、
前記照明装置は、
前記リール線を通じて供給される電力を受信し、電力を蓄える蓄電池と、
前記リール線を通じて供給される電力および前記蓄電池から供給される電力を受信し、発光する発光素子と、
前記リール線を通じて供給される電力を受信し、前記受信した電力を前記発光素子または前記蓄電池のいずれかに振り分ける制御回路と、
を含むことを特徴とする照明システム。
【請求項２】
前記制御回路は、前記蓄電池に蓄えられた電力の量が予め定められた量に満たないと判定したことに応答して、前記受信した電力を前記蓄電池に振り分けることを特徴とする請求項１に記載の照明システム。
【請求項３】
前記制御回路は、前記発光素子を発光させることを指示する信号を受信したことに応答して、前記受信した電力を前記発光素子に振り分け、前記蓄電池に、前記蓄えられた電力を前記発光素子に供給することを指示することを特徴とする請求項１に記載の照明システム。
【請求項４】
前記制御回路は、前記発光素子を消灯させることを指示する信号を受信したことに応答して、前記受信した電力を前記蓄電池に振り分けることを特徴とする請求項１に記載の照明システム。
【請求項５】
前記昇降装置は、内部に空洞構造を有する基板を有し、前記蓄電池および前記制御回路は、前記基板の内部に収容されることを特徴とする請求項１に記載の照明システム。
【請求項６】
照明システムによって実行される方法であって、
下方に延在したリール線の長さを変化させるステップと、
前記リール線の長さが変化することによって、前記リール線と接続された照明装置を昇降させるステップと、
前記リール線を通じて、給電装置からの電力を前記照明装置に供給するステップと、
前記リール線を通じて供給される電力によって、蓄電池に電力を蓄えるステップと、
前記リール線を通じて供給される電力および前記蓄電池から供給される電力によって、発光素子を発光させるステップと、
前記リール線を通じて供給される電力を受信し、前記受信した電力を前記発光素子または前記蓄電池のいずれかに振り分けるステップと、
を備えたことを特徴とする方法。